(57)【要約】【課題】  本発明の防霜装置は、燃料を化石燃料ではない植物由来のペレットすなわち草木をほぼ均一な大きさの粒状や柱状のペレットに加工し、ペレットの燃焼部への供給を電気的に制御する制御装置により電動機を作動させることで自動化させ、長時間に亘り連続燃焼させるものである。これにより化石燃料に頼らず農園関係者の労力を大幅に軽減し、果樹や果実に悪影響を及ぼさない低コストな防霜装置を提供する。【解決手段】  本発明の防霜装置は、植物由来のペレット１を燃焼させる燃焼器具であって、該ペレット１を収納する収納部２と、該収納部２に取付けられ、収納部２内のペレット１を所定量ごとにあるいは所定スピードで搬出する搬出手段６と、該搬出手段６に隣接して取付けられ、搬出手段６の作動間隔あるいは作動スピードを制御装置８により制御される電動機と、該電動機により作動された搬出手段６から搬出されたペレット１を受入れて燃焼させる燃焼部１１と、を有することを特徴とする。【選択図】      図１
2008185266.tif 000002
【特許請求の範囲】
【請求項１】
植物由来のペレットを燃焼させる燃焼器具であって、
該ペレットを収納する収納部と、
該収納部に取付けられ、収納部内のペレットを所定量ごとにあるいは所定スピードで搬出する搬出手段と、
該搬出手段に隣接して取付けられ、搬出手段の作動間隔あるいは作動スピードを制御装置により制御される電動機と、
該電動機により作動された搬出手段から搬出されたペレットを受入れて燃焼させる燃焼部と、
を有することを特徴とする防霜装置。
【請求項２】
前記搬出手段が、前記電動機により回転させられ、外周にペレットを収納する１以上の凹部を有する回転ドラムであることを特徴とする請求項１に記載の防霜装置。
【請求項３】
前記搬出手段が、前記電動機により回転させられ、外周に螺旋羽根を有するスクリューコンベアであることを特徴とする請求項１に記載の防霜装置。
【請求項４】
前記燃焼部上に着脱自在な調理スペースを設けたことを特徴とする請求項１ないし３のうち１項に記載の防霜装置。
【請求項５】
前記燃焼部の上方に排煙孔を備えた燃焼部覆体を着脱自在に設けたことを特徴とする請求項１ないし３のうち１項に記載の防霜装置。
【発明の詳細な説明】
【技術分野】
【０００１】
本発明は、防霜装置に関し、農園、圃場、果樹園などの霜害対策用燃焼器具に関する。
【背景技術】
【０００２】
一般に農園、圃場、果樹園などでは、霜害対策として、ドラム缶などの中で薪や木の枝など燃やして大気の温度を上げることが多かった。霜は早朝から発生し、大気温が上がるまで数時間存在するため、長時間燃やし続けなければならない。この霜のある間に火が消えると、農作物に障害を与え農家に経済的大損害をもたらすため寝ずに燃料を補給し続ければならない。こうした労力を軽減するため農園、圃場、果樹園などで使う構造が簡単な防霜装置として、圃場用石油スト−ブ（特許文献１）があった。この石油スト−ブは、燃焼室内で石油供給パイプの先端部付近をコイル状に巻回させて加熱気化部を形成し、さらにその先端開口部の燃焼口を前記加熱気化部の真下に位置するよう構成することにより、自らの燃焼熱で石油を気化させるものである。しかしながら、燃料として引火性の強い危険物である石油の取り扱いは、火気取扱いの専門家でない農家の人々にとって大変危険度の高い燃料である。また、近年、世界的に地球温暖化対策の重要性が認識され、再生不能な化石燃料の使用が敬遠される方向にある。
【特許文献１】実開平５−４５４１２号文献
【発明の開示】
【発明が解決しようとする課題】
【０００３】
従来の防霜装置として多用されている木や枝をドラム缶で燃焼させる方法は、確かに設備投資が少ないと言う点では、大変優れた物である。しかしながら、燃焼時の炎が高く舞い上がり、果実を収穫しやすくするため２メートル程度の高さに果実が実をつけるように植栽され樹間の狭い農園では、ドラム缶で木や枝を燃すと果実に悪影響を及ぼすことになる。そして、ドラム缶を使用する防霜装置は、火の粉が大きく飛散し果樹や果実に損害を与えると言う難点もあった。したがって、樹間の広い場所を選んでドラム缶設置場所としなければならないという不都合が大きな問題点でもあった。また、前述したように、特許文献１の危険物である石油を燃焼させる方法は、石油の取り扱いに難点がある上に地球温暖化対策上化石燃料の使用という問題も孕んでいた。何よりも設備費が高くつくということが普及を妨げていた。
【０００４】
本発明の防霜装置は、果樹園や農園などでペレットを燃焼させることにより周囲の大気温を上昇させると共に上昇気流を生ずることにより周囲の大気に風を起こし、霜の発生を防ぐ物である。この防霜装置は、燃料を化石燃料ではない植物由来のペレットすなわち草木をほぼ均一な大きさの粒状や柱状のペレットに加工し、ペレットの燃焼部への供給を電気的に制御する制御装置により電動機を作動させることで自動化させ、長時間に亘り連続燃焼させるものである。これにより化石燃料に頼らず農園関係者の労力を大幅に軽減し、果樹や果実に悪影響を及ぼさない低コストな防霜装置を提供する。
【課題を解決するための手段】
【０００５】
請求項１の防霜装置は、植物由来のペレットを燃焼させる燃焼器具であって、該ペレットを収納する収納部と、該収納部に取付けられ、収納部内のペレットを所定量ごとにあるいは所定スピードで搬出する搬出手段と、該搬出手段に隣接して取付けられ、搬出手段の作動間隔あるいは作動スピードを制御装置により制御される電動機と、該電動機により作動された搬出手段から搬出されたペレットを受入れて燃焼させる燃焼部と、を有することを特徴とする。
【０００６】
この防霜装置は、前記電動機により回転させられ、外周にペレットを収納する１以上の凹部を有する回転ドラムとしたり、前記搬出手段を前記電動機により回転させられ、外周に螺旋羽根を有するスクリューコンベアとしたり、前記燃焼部上に着脱自在な調理スペースを設けたり、さらに、前記燃焼部の上方に排煙孔を備えた燃焼部覆体を着脱自在に設けたりした構成とすることができる。
【発明の効果】
【０００７】
請求項１の防霜装置は、植物由来のペレットを燃焼させる燃焼器具であり、このペレットを収納する収納部と、この収納部に取付けられ、収納部内のペレットを所定量ごとにあるいは所定スピードで搬出する搬出手段と、この搬出手段に隣接して取付けられ、搬出手段の作動間隔あるいは作動スピードを制御装置により制御される電動機と、この電動機により作動された搬出手段から搬出されたペレットを受入れて燃焼させる燃焼部と、を有している。この植物由来のペレットは、草木を粉砕してほぼ均一な形状に加工されたものなので、再生産されない化石燃料と異なり、空気中の炭酸ガス濃度を上昇させることがなく、環境問題すなわち地球温暖化に寄与しない燃料である。
【０００８】
上記構成の防霜装置は、果樹園や農園などでペレットを燃焼させることにより周囲の大気温を上昇させると共に上昇気流を生ずることにより周囲の大気に風を起こし、霜の発生を防ぐ物である。前記のように上記ペレットは、ほぼ均一な形状に加工されているから制御装置により作動間隔あるいは作動スピードを制御される電動機によって搬出する搬出手段を使用できるようになった。この結果、収納部に収納したペレットを搬出手段により燃焼部に自動供給できることとなった。したがって、制御装置による搬出手段の搬出スペードを事前に設定し、連続燃焼させたい時間に合せた量のペレットを収納部に投入すれば、収納部内のペレットが搬出手段により燃焼部に自動供給される防霜装置が得られた。予定の連続燃焼時間が経過しても予想の時間以上に霜が終わらないときは、収納部上の開口から収納部にペレットを追加投入すれば、燃焼時間を任意に延長できるから防霜装置を設置した農園等の果樹や農作物の霜害を防ぐことができる。
【０００９】
請求項２の防霜装置は、前記搬出手段が、制御装置により制御された電動機により回転させられ、外周にペレットを収納する１以上の凹部を有する回転ドラムである。したがって、前述のように収納部に所定量のペレットを収納し、電源のスイッチを入れると、搬出手段としての回転ドラムが作動し、収納部内のペレットが回転ドラム外周のペレット収納用凹部に挿入され、収納部から燃焼部に所定の間隔あるいは所定のスピードで自動的に順次搬出され、所望の時間燃焼し続ける。
【００１０】
請求項３の防霜装置は、搬出手段が、制御装置により制御された電動機により回転させられ、外周に螺旋羽根を有するスクリューコンベアである。したがって、前記請求項２の防霜装置同様、収納部に所定量のペレットを収納し、電源のスイッチを入れると、搬出手段としての外周に螺旋羽根を有するコンベアすなわちスクリューコンベアが作動し、収納部内のペレットがスクリューコンベアの外周の螺旋羽根間に落下し、収納部から燃焼部に所定の間隔あるいは所定のスピードで自動的に順次搬出され、所望の時間燃焼し続ける。
【００１１】
請求項４の防霜装置は、前記燃焼部上に調理スペースを着脱自在に載置したから燃焼部が竃やガスコンロの役割を果たし、調理スペースでバーベキューを楽しめ、調理器具を載せれば任意の調理ができる
【００１２】
請求項５の防霜装置は、前記燃焼部上に着脱自在に載置し、上方に排煙孔を備えた燃焼部覆体を有している。したがって、この燃焼部覆体により燃焼部あるいは調理スペース上を覆うと、燃焼部で燃焼させたペレットの炎が、高く舞い上がらないから狭い樹間や樹木の下の狭いところに設置しても樹木や果実に害を与えずに燃焼させることができる。また、この燃焼部覆体はラジエータすなわち放熱板の役割も果たせるので、ビニールハウスを始めとした屋内の暖房用燃焼器具としても使える。
【発明を実施するための最良の形態】
【００１３】
本発明の防霜装置は、果樹園や農園などでペレットを燃焼させることにより周囲の大気温を上昇させると共に上昇気流を生ずることにより周囲の大気に風を起こし、霜の発生を防ぐ物である。以下、本発明の実施の形態を添付図面を参照して説明する。
【００１４】
図１の概念図に示した本発明の防霜装置は、植物由来のペレット１（木、葉、草などの草木を原料としたり、木炭、竹炭などからつくった炭を原料とする燃料用ペレットを言い、好ましくは、化石燃料である石炭を原料とするペレットは、含まない）を燃焼させる燃焼器具である。この防霜装置は、上記ペレット１を収納する収納部２を脚部３上に有している。この収納部２の底部はホッパー状の傾斜面４が形成されており、収納したペレット１が収納部２の最下部２ａに集まるようになっている。また、この収納部２のペレット収納量により防霜装置の継続燃焼時間は制限を受け、収納部２の大きさ次第で５時間でも１０時間でもあるいは２４時間でも継続して燃焼させることができる。さらに、収納部２は、上方に開口２ｂを有し（蓋を省略して図示）、この開口２ｂから上記ペレット１を投入し、補充することにより燃焼時間を随時延長することができる。
【００１５】
上記収納部２の最下部２ａ側方(あるいは最下部)には、開口２ｃを有し、この開口２ｃにはペレット流出路５が取付けられている。収納部２内に収納したペレット１のうちの所定量ごとに搬出する搬出手段として回転ドラム６が、開口２ｃに取付けられている。回転ドラム６の外周には、収納部２内のペレット１の所定量を収納できる１以上の凹部６ａが備えられている。この回転ドラム６には、図示しない電動機あるいは間欠モータが取付けられている。この電動機は、収納部２の下方(下方に拘らず任意の位置でよい)に取付けた電源(乾電池等)７と、電動機の回転スピードや間欠間隔を制御する制御装置８を介して導線９により連結されている。電気回路には、図示しないスイッチが設けられている。なお、この電源７は、防霜装置外に設置するバッテリーとしたり、電力会社の配電する電力とすることもできる。
【００１６】
上記防霜装置は、前記搬出手段である回転ドラム６によりペレット流出路５を通過して搬出されたペレット１を受入れて燃焼する燃焼部１１を備えている。収納部２内のペレット１が、回転ドラム６の凹部６ａに投入されると、回転ドラム６が電動機により回転させられ凹部６ａ内のペレット１が流出路５内に投入される。流出路５内に投入されたペレット１は、前記燃焼部１１に落下する。燃焼部１１内のペレット１は、別途用意しあるいは燃焼部１１内に取付けた着火器具（図示せず）により着火される。この燃焼部１１も底部に傾斜面１１ａを有するホッパー型である。ホッパー型燃焼部１１の最下部は開口１２されており、開口１２には目皿（図示せず）が取付けられている。目皿の下には、燃焼部１１の開口１２と連通する灰受室１３が形成され、灰受室１３には挿脱自在に灰受皿１４が取付けられている。前記燃焼部１１内で燃焼させたペレット１の燃え滓は、目皿を透過して灰受室１３内の灰受皿１４内に落下する。灰受室１３には、送風機１５が取付けられており、送風機１５の風が目皿を透過して燃焼部１１に送風され、燃焼するペレット１に空気が供給される。この送風機１５も、前記収納部２下方の電源７と導線１６により導通と切断とが自在に連結されている。
【００１７】
上記構成の防霜装置は、大農園の場合、１農園で数十台、時には１００台以上の防霜装置が設置されることがあり、不使用時の保管スペースやトラックの荷台への効率的積載を可能とすると共に低コスト化のため、防霜装置の収納部２と燃焼部１１とが、分離（あるいは着脱自在に分離）されたセットとして形成される。この複数で１組のセットの防霜装置をトラックの荷台に積載し、農園の所望の設置場所に運ぶ。運ばれた防霜装置の収納部２の流出路５から放出されるペレット１が落下する位置に前記燃焼部１１を配置し、送風機１５と電源７を導線１６により結線する。次に、連続燃焼時間に合せて必要量のペレット１を収納部２に内に投入する。電源７の図示しないスイッチをオンにして搬出手段により燃焼部１１にペレット１を投入し、前記着火具によりペレット１に着火する。あるいは、最初のペレット１だけは人手により燃焼部１１に投入し、着火した後、電源７のスイッチを入れる。その後、収納部２内のペレット１は、収納部２内のペレット１が搬出手段である回転ドラム６により収納部２から燃焼部１１に自動的に供給され、収納部２内のペレット１がなくなるまで燃え続ける。
【００１８】
従来のドラム缶を使った防霜装置は、燃料として形状が不揃いな木、枝、薪等を使うため燃料の自動供給ができなかった。しかしながら、本発明の防霜装置は、燃料が植物由来のペレット１であり、このペレット１は機械的に成型加工してあるので形状がほぼ均質な燃料すなわちペレット１であるから機械的に自動供給が可能となった。この防霜装置は、収納部２の下方にペレット１の自動供給手段として回転ドラム６を取付け、この回転ドラム６を電気的に制御する制御装置８により作動させることにした。したがって、収納部２に投入されたペレット１を所定のスピード、所定の間隔で燃焼部１１に供給できるようになった。この結果、所望の連続燃焼時間に合わせ収納部２に必要量のペレット１を投入すれば、ペレット１を所望の連続燃焼時間燃焼させ続けることができるようになり、途中で燃料を補給する必要がない。また、連続燃焼時間を延長したいときは、収納部２にペレット１を追加投入するだけで良い。さらに、上記植物由来のペレット１は、草木を原料としているので石油など化石燃料と異なり再生可能な資源であるから空気中の炭酸ガスの増加をもたらすことがなく、地球温暖化など環境破壊の心配がない。
【００１９】
図２の概念図に示す実施例は、搬出手段を回転ドラム６からスクリューコンベア２６に変更したことに特徴がある。なお、図２以下の実施例では、同一の符号を付した部分は同一物を表わし、基本的な構成は図１に示したものと同様である。ホッパー型収納部２２の下部に開口２２ｃを形成する。開口２２ｃの下は管状のペレット流出路２５が取付けられ、ペレット流出路２５の基端には、電動機（モータあるいは間欠モータ）２０が取付けられている。このペレット流出路２５は上方が開口されており、前記収納部２の最下端の開口２２ｃを介して収納部２２と連通している。このペレット流出路２５の先端２５ａは、収納部２２の外に突出している。ペレット流出路２５内には、搬出手段としての外周に螺旋羽根２６ａを有するスクリューコンベア２６が取付けられ、このスクリューコンベア２６はペレット流出路２５の基端の電動機２０により作動させられる。スクリューコンベア２６が電動機２０により作動させられると、収納部２２内のペレット１がスクリューコンベア２６の螺旋羽根２６ａにより搬出され、搬出されるペレット１はペレット流出路２５の先端２５ａとスクリューコンベア２６の先端との間の間隙から燃焼部１１に投下される。２４は、収納部２２の底部の傾斜面であり、２２ｂは収納部の開口であり、２３は脚部である。
【００２０】
上記構成の防霜装置は、搬出手段としてのスクリューコンベア２６が、電動機２０により回転させられ収納部２２内のペレット１が順次燃焼部１１に搬出されること以外は、前記実施例と同様であり、作用効果も同様である。
【００２１】
図３の概念図に示すように、前記実施例に示した燃焼部１１上に調理スペース３１あるいは上方に排煙孔３２を備えた燃焼部覆体３３を着脱自在に取付けることもできる。この調理スペース３１は、上面が平板な板であっても、金網やロストルあるいは鍋釜のような調理器具であっても良い。また、燃焼部覆体３３は、火の粉の飛散を防ぐとともに放熱板の役割も担っており、内部が空洞で上端に排煙孔３２を備えている。この排煙孔３２を筒状の煙突とすることもできる。
【００２２】
上記構成のうち燃焼部１１上に調理スペース３１を取付けた防霜装置は、防霜装置を使って屋外で焼き物や調理を楽しむこともできる。燃焼部１１の上方に排煙孔３２を備えた燃焼部覆体３３を着脱自在に載置した防霜装置は、第１に、火の粉を周囲に飛散させないから農園などの狭い樹間や樹木の下で使っても、樹木や果実に悪影響を及ぼす怖れがなく、農園経営を経済的に安定化させることができる。また、防霜装置を小型化して低コスト化できる。さらに、放熱効果の得られる燃焼部覆体３３を取付けた防霜装置は、周囲に火の粉が飛散しないからビニールハウスなど温室や屋内の暖房用としても使える。
【００２３】
図４の概念図に示したように、脚部４３上に形成した収納部４２の底部を外周側が低い傾斜面４４として形成し、この傾斜面４４の低い位置の複数の側部（あるいは下部）に開口４２ｃを形成し、開口４２ｃにペレット流出路４５を取付けるとともに、これらのそれぞれの開口４２ｃに搬出手段である回転ドラム６を取付けることもできる。この１つの収納部４２に複数の燃焼部１１をセットした防霜装置は、収納部４２の底部の傾斜面４４の形状を変更するだけで複数の燃焼部１１を取付けることができる効率的な防霜装置である。この防霜装置は、樹間が広いところで大型の防霜装置を使いたい場合、収納部４２だけを大型にし、前述の防霜装置の複数の燃焼部１１と組合わせて使うことができるので設備投資が大変低コストな防霜装置である。４２ｂは収納部４２の上端の開口である。なお、本発明の防霜装置は、上記した実施の形態に限定されるものではなく、本発明の要旨を逸脱しない範囲内において種々変更を加え得ることができる。
【産業上の利用可能性】
【００２４】
本発明の防霜装置は、屋外で使う農園用として開発した物であるが、調理用の燃焼器具としても使える上に、温室をはじめとした屋内用暖房器具としても使える。
【図面の簡単な説明】
【００２５】
【図１】本発明の防霜装置の構成を示す概念図である。
【図２】本発明の他の実施例である防霜装置の構成を示す概念図である。
【図３】燃焼部に燃焼部覆体を取り付けた防霜装置の概念図である。
【図４】１つの収納部に複数の燃焼部をセットした防霜装置の構成を示す概念図である。
【符号の説明】
【００２６】
１          植物由来のペレット
２          ペレット収納部
２ａ        収納部の最下部
２ｂ        収納部上方の開口
２ｃ        収納部の最下部の開口
３          脚部
４          ホッパー型収納部の底部の傾斜面
５          ペレット流出路
６          搬出手段としての回転ドラム
６ａ        回転ドラムの外周の凹部
７          乾電池等の電源
８          電動機の回転スピードや間欠間隔を制御する制御装置
９          伝導線
１１          ペレットを受入れて燃焼する燃焼部
１１ａ        燃焼部底部の傾斜面
１２          ホッパー型燃焼部の最下部の開口
１３          目皿の下の灰受室
１４          灰受室の挿脱自在な灰受皿
１５          灰受室内の送風機
１６          導線
２０          電動機（モータあるいは間欠モータ）
２２          収納部
２２ｂ        収納部上端の開口
２２ｃ        収納部最下端の開口
２３          脚部
２４          収納部底部の傾斜面
２５          管状のペレット流出路
２５ａ        ペレット流出路の先端
２６          搬出手段であるスクリューコンベア
２６ａ        スクリューコンベア外周の螺旋羽根
３１          調理スペース
３２          燃焼部覆体上方の排煙孔
３３          燃焼部覆体
４２          収納部
４２ｂ        収納部上端の開口
４２ｃ        傾斜面の低い位置の開口
４３          脚部
４４          収納部底部の外周側が低い傾斜面
４５          ペレット流出路
【図１】
2008185266.tif 000003
【図２】
2008185266.tif 000004
【図３】
2008185266.tif 000005
【図４】
2008185266.tif 000006